(57)【要約】      （修正有）【課題】適切でかつ確実なシステ厶運営を可能とする。【解決手段】眼科診療システム１は、眼科医療用機器１０，２０，３０と、それぞれ装備されるワイヤレス式の撮像装置１１，２１，３１と、撮影された画像を表示する少なくとも一つの表示装置２とを備える。各撮像装置は、送受信手段１２，２２，２３を備え、撮像装置に対応して割り当てられた固有のＩＤを有し、送受信手段３にデータ信号を送信するとともに、ＩＤ確認信号と自己のＩＤとが一致したときに該制御信号を受信するように構成される。表示装置は、該ＩＤに対応したデータ信号による表示を行うとともに、ＩＤ信号を付けて制御信号を送ることにより該ＩＤに対応する撮像装置を遠隔操作可能に構成される。【選択図】図１
2005144086.tif 000002
【特許請求の範囲】
【請求項１】
眼科診療時に用いられる複数の眼科医療用機器と、前記眼科医療用機器にそれぞれ装備されるワイヤレス式の撮像装置と、前記撮像装置により撮影された画像を表示する少なくとも一つの表示装置とを備えてなる眼科診療システムであって、
前記各撮像装置は、前記表示装置との間の情報データの送受信を無線通信によって行う送受信手段を備え、
この送受信手段は、それぞれの撮像装置に対応して割り当てられた固有のＩＤを有し、そのＩＤ信号を付けて前記表示装置の送受信手段にデータ信号を送信するとともに、前記表示装置の送受信手段からの制御信号に付設されるＩＤ確認信号と自己のＩＤとが一致したときに該制御信号を受信するように構成され、
前記表示装置は、それぞれの撮像装置からのＩＤ信号付きのデータ信号を受信し、該ＩＤに対応したデータ信号による表示を行うとともに、ＩＤ信号を付けて制御信号を送ることにより該ＩＤに対応する撮像装置を遠隔操作可能に構成されていることを特徴とする眼科診療システム。
【請求項２】
請求項１に記載の眼科診療システムにおいて、
前記表示装置は、該表示装置に表示された画像を記録する記録装置を備えていることを特徴とする眼科診療システム。
【請求項３】
請求項１または請求項２に記載の眼科診療システムにおいて、
前記眼科医療用機器は、スリットランプであることを特徴とする眼科診療システム。
【請求項４】
請求項１または請求項２に記載の眼科診療システムにおいて、
前記眼科医療用機器は、手術顕微鏡であることを特徴とする眼科診療システム。
【請求項５】
請求項１または請求項２に記載の眼科診療システムにおいて、
前記眼科医療用機器は、眼底検査機であることを特徴とする眼科診療システム。
【請求項６】
請求項１または請求項２に記載の眼科診療システムにおいて、
前記眼科医療用機器は、医師が手書きまたはパーソナルコンピュータへの入力によって作成するカルテを表示する表示機器であることを特徴とする眼科診療システム。
【請求項７】
請求項１ないし請求項６のいずれか１項に記載の眼科診療システムにおいて、
前記撮像装置は、ワイヤレスＣＣＤカメラであることを特徴とする眼科診療システム。
【発明の詳細な説明】
【技術分野】
【０００１】  本発明は、医療用機器、特に眼科診療用に使用される眼科医療用機器に関し、特にワイヤレス式の撮像装置やその撮影画像を表示する表示装置等が装備されている眼科診療システムに関する。
【背景技術】
【０００２】  眼科診療時に用いられる眼科医療用機器として、たとえば眼科手術（脳外科手術にも使用される）を行う際に用いられるスリットランプや、手術顕微鏡、さらには眼底検査機などが広く知られている。これらの医療用機器では、撮像装置が常設あるいはオプションとして装備され、該撮像装置を用いて患部の状況や治療状態を撮影し、別に設けた表示装置であるモニタ画面に映し出すといった使用形態が取られている。【０００３】  ところで、この種の眼科医療用機器において、上述した撮像装置としてはＣＣＤカメラが用いられているが、該カメラと表示装置との間がケーブルで接続されている有線式のものが一般的であって、使いづらいという問題がある。すなわち、上記の撮像装置を主機器である眼科医療用機器の一部に付設するにあたっては、該撮像装置からの画像を表示装置等に伝送するケーブルをも配線する必要があり、しかも撮影対象に近接する位置に組み付けるにあたっても、当該箇所は、主機器にとっても主要な部分であることから、組み付け位置等に制約を受けやすく、適切な撮影を行い難い組付けしかできない場合もあった。【０００４】  また、上述した眼科医療用機器が、眼科診療室や手術室などに固定的に設けられている場合には、それほど問題とはならないが、これを可搬式として巡回診療等に使用する際に問題がある。特に、各眼科医療用機器には、本来の機能をもつ主要部があり、それらも電源ケーブルや伝送ケーブル等が多数あるために、それに加えて撮像装置用のケーブルもあると、その取り扱いが煩雑で、可搬時の障害となることもあった。【０００５】  このため、本出願人は、上述した眼科医療用機器にワイヤレス式のＣＣＤカメラを用いてなる眼科診療システムを先に提案している（たとえば特許文献１参照）。
この眼科診療システムによれば、ワイヤレス式のＣＣＤカメラを該当機器の適宜の位置に取付けでき、その良好な使い勝手の面を発揮させるとともに、自由に配設できる表示装置に該カメラで撮影された画像を表示することができるもので、その利点は大きい。【０００６】  また、この種の眼科診療システムとして、医師が診療時に手書きあるいはパソコン入力によって作成するカルテを、上記のワイヤレス式のＣＣＤカメラを用いて表示装置に表示できるように電子化するものもある（例えば、特許文献２参照）。
このような眼科診療システムでは、簡易でしかも安価なカルテ管理システムが提供できるから、その利点は大きいものである。【０００７】
【特許文献１】          実用新案登録第３０８４１４５号公報
【特許文献２】          実用新案登録第３０８４１４６号公報
【発明の開示】
【発明が解決しようとする課題】
【０００８】  しかし、上述したワイヤレス式のＣＣＤカメラやそのカメラから送信される画像データ信号を受信する表示装置との間の無線通信を利用した通信システムでは、該カメラや表示装置の数が増えると、システム構成が複雑となり、また混線などを生じる虞れもあり、何らかの対策を講じることが求められている。【０００９】  すなわち、前述したような眼科医療用機器を複数台設けると、カメラの数も増え、表示装置も増える。その際に、表示装置を兼用することも考えられるが、これらが同時に作動されていると、カメラと対応する表示装置との間での無線通信を利用した画像データの送受信が不安定となる。【００１０】  このため、この種の眼科診療システムでは、複数の眼科医療用機器に装備されるワイヤレス式の撮像装置の使い勝手をよくし、さらに該当する表示装置や記録装置等との関係も簡素化でき、全体としての利便性を向上させることができるような何らかの対策が必要となっている。【００１１】  本発明はこのような事情に鑑みてなされたものであり、眼科医療に用いられる種々の医療用機器に付設されるワイヤレス式の撮像装置と該撮像装置で撮影された画像を表示する表示装置とからなる眼科診療システムでの適切でかつ確実なシステム運営を可能とする眼科診療システムを得ることを目的とする。
【課題を解決するための手段】
【００１２】  このような目的に応えるために本発明（請求項１記載の発明）に係る眼科診療システムは、眼科診療時に用いられる複数の眼科医療用機器と、前記眼科医療用機器にそれぞれ装備されるワイヤレス式の撮像装置と、前記撮像装置により撮影された画像を表示する少なくとも一つの表示装置とを備えてなる眼科診療システ厶であって、前記各撮像装置は、前記表示装置との間の情報データの送受信を無線通信によって行う送受信手段を備え、この送受信手段は、それぞれの撮像装置に対応して割り当てられた固有のＩＤを有し、そのＩＤ信号を付けて前記表示装置の送受信手段にデータ信号を送信するとともに、前記表示装置の送受信手段からの制御信号に付設されるＩＤ確認信号と自己のＩＤとが一致したときに該制御信号を受信するように構成され、前記表示装置は、それぞれの撮像装置からのＩＤ信号付きのデータ信号を受信し、該ＩＤに対応したデータ信号による表示を行うとともに、ＩＤ信号を付けて制御信号を送ることにより該ＩＤに対応する撮像装置を遠隔操作可能に構成されていることを特徴とする。【００１３】  本発明（請求項２記載の発明）に係る眼科診療システムは、請求項１記載の眼科診療システムを具体的に限定したものであり、前記表示装置は、該表示装置に表示された画像を記録する記録装置を備えていることを特徴とする。【００１４】  本発明（請求項３〜６記載の発明）に係る眼科診療システムは、請求項１または請求項２記載の眼科診療システムを具体的に限定したものであり、前記眼科医療用機器は、スリットランプ、手術顕微鏡、眼底検査機、医師が手書きまたはパーソナルコンピュータへの入力によって作成するカルテを表示する表示機器のいずれかであることを特徴とする。【００１５】  本発明（請求項７記載の発明）に係る眼科診療システムは、請求項１ないし請求項６のいずれか１項に記載の眼科診療システムにおいて、前記撮像装置は、ワイヤレスＣＣＤカメラであることを特徴とする。【００１６】  本発明によれば、複数の眼科医療用機器を混在して使用する場合において、それぞれの機器に装備されているワイヤレス式の撮像装置と、その画像データの表示を行う表示装置との間の無線通信を、それぞれに予め割り当てられたＩＤ番号を利用して行うように構成することで、混線などを生じることなく、所要の撮像装置からの表示を所要の状態で行える。
【発明の効果】
【００１７】  以上説明したように本発明に係る眼科診療システムによれば、複数の眼科医療用機器を混在して使用する場合において、それぞれの機器に装備されているワイヤレス式の撮像装置と、その画像データの表示を行う表示装置との間の無線通信を、それぞれに予め割り当てられたＩＤ番号を利用して行うように構成することで、混線などを生じることなく、所要の撮像装置からの表示を適切かつ確実に行え、眼科診療システムとして、簡易でしかも安価なシステム構成を提供することができる。【００１８】  特に、本発明によれば、撮像装置としてワイヤレス式のものを用いることによる取付位置の自由度や撮影画像の適切化、さらに機器の搬送上での自由度などの利点をより一層発揮させることができる。
【発明を実施するための最良の形態】
【００１９】  図１は本発明に係る眼科診療システムの一実施の形態を示すものであり、図において、全体を符号１で示す眼科診療システムは、眼科診療時に用いられる、後述するスリットランプ１０、手術顕微鏡２０、あるいは眼底検査機等のような種々の眼科医療用機器（１０，２０，３０，４０等を付す）と、この眼科医療用機器１０，２０，３０，４０に装備されるワイヤレス式のＣＣＤカメラからなる撮像装置１１，２１，３１，４１と、これらの撮像装置１１，２１，３１，４１により撮影された画像を表示する表示装置２（ここでは２台）等を備えている。【００２０】  ここで、この実施の形態では、表示装置２を２台用いた例を示す。なお、図中５は前記表示装置２、さらに撮像装置１１，２１，３１，４１を手動操作する際に用いられる操作部である。６は撮像装置１１，２１，３１，４１で得られる画像を直接、あるいは表示装置２に表示された画像を、該表示装置２を介して間接的に記録する記録装置である。これらの各装置２，５，６に撮像装置１１，２１，３１，４１（たとえばカメラの後端部分に設けられる）の送受信手段１２，２２，３２，４２との間で信号の授受を行う送受信手段３，５ａ，６ａが設けられている。また、表示画像を必要に応じて出力できるプリンタ７を設けてもよい。【００２１】  本発明によれば、上述したワイヤレス式の撮像装置１１，２１，３１，４１（ワイヤレスＣＣＤカメラ）を用い、少なくとも一つの表示装置２との間の情報データの送受信を無線通信によって行うように構成した眼科診療システム１において、各撮像装置１１，２１，３１，４１を、前記表示装置２との間の情報データの送受信を無線通信によって行う送受信手段１２，２２，３２，４２を備えている構成としている。【００２２】  そして、これらの送受信手段１２，２２，３２，４２を、それぞれの撮像装置１１，２１，３１，４１に対応して割り当てられた固有のＩＤを有し、そのＩＤ信号を付けて前記表示装置２の送受信手段３等にデータ信号を送信するとともに、前記表示装置２の送受信手段３（または操作部５の送受信手段５ａでもよい）からの制御信号に付設されるＩＤ確認信号と自己のＩＤとが一致したときに該制御信号を受信するように構成している。また、前記表示装置２を、それぞれの撮像装置１１，２１，３１，４１からのＩＤ信号付きのデータ信号を受信する送受信手段３を有し、該ＩＤに対応したデータ信号による表示を行うとともに、ＩＤ信号を付けて制御信号を送ることにより該ＩＤに対応する撮像装置１１，２１，３１，４１を遠隔操作可能に構成している。【００２３】  ここで、上述した眼科医療用機器としては、図２、図３および図４に示すようなスリットランプ１０，２０、図５に示すような手術顕微鏡３０、さらに眼底検査機等、従来から広く眼科医療用として知られている機器、あるいは図６で示すような医師が手書きまたはパソコン入力によって作成するカルテを表示する表示機器を含むカルテ管理システムとして用いられる機器などであればよい。【００２４】  以上の構成による眼科医療用機器１０，２０，３０，４０にワイヤレス式の撮像装置１１，２１，３１，４１を装備した眼科診療システム１は、複数の眼科医療用機器１０，２０，３０，４０を混在して使用する場合において、それぞれの機器１０，２０，３０，４０に装備されているワイヤレス式の撮像装置１１，２１，３１，４１と、その画像データの表示を行う表示装置２との間の無線通信を、それぞれに予め割り当てられたＩＤ番号を利用して行うように構成することで、混線などを生じることなく、所要の撮像装置１１，２１，３１，４１からの表示を適切かつ確実に行え、眼科診療システムとして、簡易でしかも安価なシステム構成を提供することができるのである。【００２５】  また、このような眼科医療用機器１０，２０，３０，４０の適宜の位置に装備される撮像装置１１，２１，３１，４１としてワイヤレス式のもの（ワイヤレスＣＣＤカメラ）を用いることによって、従来のような主機器への取り付け位置が制約される等の不具合がなくなるばかりでなく、撮影対象としても必要部位の撮影が可能であるから、撮像装置１１，２１，３１，４１としての機能を最大限に発揮することができる。【００２６】  また、ワイヤレス式の撮像装置１１，２１，３１，４１を用いているから、表示装置２や記録装置６との接続用ケーブルが不要であり、主機器（眼科医療用機器）１０，２０，３０，４０やその配線等に邪魔にならず、使い勝手のよい撮像システムを構成できる。さらに、主機器である眼科医療用機器２の可搬も必要に応じて自由に行える。また、主機器１０，２０，３０，４０を可搬する場合に、撮像装置１１，２１，３１，４１のみを装備すれば、表示装置２や記録装置６は常設の箇所に残しておいてもよく、必要な撮影を確実に行えるという利点もある。【００２７】  さらに、上述した構成によれば、眼科医療用機器１０，２０，３０，４０に装備されるワイヤレス式の撮像装置１１，２１，３１，４１の使い勝手をよくし、さらにその表示装置２や記録装置６等との関係も簡素化でき、全体としての利便性を向上させ得る眼科診療システム１を得ることができるという利点もある。【００２８】  ここで、図２および図３は、本発明を適用するスリットランプ１０の例を示すものであり、このスリットランプ１０は、接眼鏡筒１３、ビームスプリッタ１４、各種内蔵フィルタの装填部１５、さらにこれらが組み付けられている架台１６等を備えている。そして、撮像装置１１が適宜の位置に組み付けられている。
前記撮像装置１１であるワイヤレスＣＣＤカメラは、該機器１０を設けた位置とは別の適宜の箇所に設けた複数台（ここでは３台）の表示装置２に画像信号を送って適宜表示できるように構成されている。【００２９】  このような構成によるスリットランプ１０は、いずれの位置にでも可搬できるとともに、別の箇所に設けた表示装置２等への画像伝送を無線通信によって簡単かつ確実に行える。【００３０】  図４は眼科医療用機器として、同じくスリットランプ２０のアイピースである例を示す。ここでは、機器の架台などは省略している。このようなアイピースに付設したワイヤレス式のＣＣＤカメラ等の撮像装置２１であっても、その送受信手段２２からの信号にＩＤを付すことにより、対応する表示装置（図示せず）との送受信を適切に行えることは言うまでもない。【００３１】  図５は、たとえば眼科手術を行う際に用いられる手術顕微鏡３０に、ワイヤレスＣＣＤカメラによる撮像装置３１を組み付けることにより、眼科診療時の適宜の手術を該顕微鏡３０を覗きながら簡単に行える。
ここで、３３は変倍顕微鏡、３４はスペアランプユニットであり、また３５は架台、３６は取っ手部である。
そして、このような変倍顕微鏡３０に本発明を適用しても、上述したような作用効果が得られることは言うまでもない。【００３２】  図６は本発明における眼科診療システム１において、眼科医療用機器４０としてのカルテ管理システムを例示した概略図である。
これを簡単に説明すると、全体を符号４０で示すカルテ管理システムは、医師が作成するカルテ４３，４３Ａを撮影することにより画像として取り込むワイヤレスＣＣＤカメラ等によるワイヤレス式撮像装置４１と、この撮像装置４１により撮影された画像を情報データとして無線通信伝達によって受信する受信手段４４を有するカルテ管理制御手段４５とを備えている。【００３３】  ここで、上記カルテ４３，４３Ａとしては、医師が手書きにより作成したカルテ４３の文字情報、またはパソコン４６への入力によって作成され表示部４６ａに情報表示されたカルテ４３Ａによる表示情報のいずれであってもよい。【００３４】  また、前記カルテ管理制御手段４５は、ワイヤレス式の撮像装置４１を遠隔操作により制御する操作制御手段４７を備えている。前記受信手段４４を送受信可能な手段として用いるとよい。さらに、前記カルテ管理制御手段４５は、ワイヤレス式の撮像装置４１から伝送された情報データを表示する表示手段４８を装備している。このようにすれば、管理制御状態を、操作担当者に随時知らせることができる。【００３５】  また、前記カルテ管理制御手段４５は、ワイヤレス式の撮像装置４１で得られた画像データを文字情報データ（テキスト情報）に変換するデータ変換手段４９を備えていてもよい。また、前記カルテ管理制御手段４５にはデータ記録手段５１が接続され、該カルテ管理制御手段４５から有線または無線による情報伝達手段５２を介して伝達されてくる情報データを記録するように構成されている。このデータ記録手段５１は、一般にはカルテ管理制御手段４５と同じ場所に併設して設けておくとよいが、これに限らず、離れた位置に設けられているものでもよい。【００３６】  さらに、前記カルテ管理制御手段４５には、無線または有線による情報伝達手段５２を介して発信される前記情報データを受信する複数の情報処理端末５３が適宜接続されている。これら複数の情報処理端末５３は、たとえば病院の会計、検査部や薬局等に予め設置しておき、ケーブル配線による有線接続、あるいは公衆通信回線、さらには無線通信伝達等の適宜の手法にて情報データの授受を行えるようになっている。そして、これらの情報処理端末５３に、該情報データを表示するモニタ等の表示手段５４、またはプリント出力する出力手段５５を設けておけばよい。【００３７】  そして、このような構成によるカルテ管理システム４０を眼科診療システム１における眼科医療用機器として用いても、前述したと同様の作用効果が得られることは言うまでもない。【００３８】  なお、本発明は上述した実施の形態で説明した構造には限定されず、眼科診療システム１を構成する各部の形状、構造等を適宜変形、変更し得ることはいうまでもない。
たとえば上述した実施の形態では、本発明をスリットランプ１０，２０、手術顕微鏡３０等に適用した例を示したが、本発明はこれに限らず、適宜の箇所を任意に変更してもよいことは言うまでもない。【００３９】  また、上述した実施の形態では、詳細な説明は省略したが、送受信手段は、自己のＩＤを形成するＩＤ形成部やＩＤ記憶部、受信する信号に付されたＩＤを受信するＩＤ受信部やＩＤ検出部、その比較を行うＩＤ判別部、さらにＩＤ送信部などを適宜備えているものである。
【図面の簡単な説明】
【００４０】
【図１】  本発明に係る眼科診療システムの一実施の形態を示し、全体の概要を説明するための図である。
【図２】  本発明に係る眼科診療システムを適用した眼科医療用機器の一例としてのスリットランプの概略斜視図である。
【図３】  図２のスリットランプを用いた眼科診療システムの概要を説明するための概略図である。
【図４】  スリットランプのアイピースの例を示す概略図である。
【図５】  本発明に係る眼科診療システムを適用した眼科医療用機器の一例としての手術顕微鏡の概略斜視図である。
【図６】  本発明に係る眼科診療システムを適用する眼科医療機器としての一例であるカルテ管理システムを説明するための概略図である。
【符号の説明】
【００４１】  １…眼科診療システム、２…表示装置、３…送受信手段、５…操作部、６…記録装置、１０，２０，３０，４０…眼科医療用機器（スリットランプ、手術顕微鏡、眼底検査機、医師が手書きまたはパソコン入力によって作成するカルテを表示する表示機器等）、１１，２１，３１，４１…撮像装置であるワイヤレスＣＣＤカメラ、１２，２２，３２，４２…送受信手段。
【図１】
2005144086.tif 000003
【図２】
2005144086.tif 000004
【図３】
2005144086.tif 000005
【図４】
2005144086.tif 000006
【図５】
2005144086.tif 000007
【図６】
2005144086.tif 000008